(57)【要約】      （修正有）【課題】ディスク高速回転時の振動を長期にわたって確実に抑制することができるディスク装置を提供する。【解決手段】トラバースシャーシ６を構成する一対のアーム８の先端外周面に一体突設された一対の支軸９を有し、その一対の支軸９がローダーシャーシ２の両内側面２ａに形成した枢支孔１０に回転可能に挿入されたディスク装置において、前記一対の支軸９の外径ｋが枢支孔１０の両内側面２ａ間の間隔ｎと同一またはわずかに大きく設定され、その一対の支軸９がスリットの形成により縮径可能にされ、前記一対の支軸９の根元部外周面に突起片が一体突設され、その両突起片の端面がローダーシャーシ２の両内側面２ａに当接される。【選択図】図１
2014022007.tif 000002
【特許請求の範囲】
【請求項１】
ディスクに記録されている情報を光ピックアップにより読み取るディスク装置であって、
前記ディスクを載置するターンテーブルと、
前記ターンテーブルを回転させるスピンドルモータおよび前記ディスクの半径方向に沿って移動可能な光ピックアップを搭載したトラバースシャーシ本体と、当該トラバースシャーシ本体を保持するトラバースホルダとで構成されるトラバースシャーシとを備え、
前記トラバースホルダは、ホルダ本体と、当該ホルダ本体の両端から延びる一対のアームと、その一対のアームの先端外周面に突設されてローダーシャーシの両内側面に形成した枢支孔に回転可能に挿入された一対の支軸とを含み、
前記一対の支軸の外径は前記枢支孔の両内側面間の間隔と同一または大きく設定され、当該一対の支軸はスリットの形成により縮径可能にされていることを特徴とする、ディスク装置。
【請求項２】
前記スリットは、一対の支軸における枢支孔の両内側面および底面に接しない位置に形成されていることを特徴とする、請求項１に記載のディスク装置。
【請求項３】
前記一対の支軸の根元部外周面に突起片が一体突設され、その両突起片の端面間の間隔が前記ローダーシャーシの両内側面間の間隔と同一または大きく設定され、その一対の支軸の先端部を枢支孔に挿入することにより両突起片の端面がローダーシャーシの両内側面に当接されるようにしたことを特徴とする、請求項１または２に記載のディスク装置。
【請求項４】
前記ホルダ本体の一方側面に一体突設されて先端部がローダーシャーシの一方の内側面に弾性的に押しつけられる弾性変位可能な抑え片を有することを特徴とする、請求項１〜３のいずれかに記載のディスク装置。
【発明の詳細な説明】
【技術分野】
【０００１】
本発明は、ディスク装置（例えばＢｌｕ−ｒａｙ  Ｄｉｓｃ式のレコーダまたはプレーヤ）に関し、特に、ディスク高速回転時の振動を長期にわたって確実に抑制することができるようにしたものである。
【背景技術】
【０００２】
従来、ディスク装置（例えばＢｌｕ−ｒａｙ  Ｄｉｓｃ式のレコーダまたはプレーヤ）として図８〜図１０に示すものがあり、これは、ディスクＤ載置用トレイ１を移動可能の支持するローダーシャーシ２が設けられ、ターンテーブル３付きスピンドルモータ４及び対物レンズＯＬ付き光ピックアップ５を搭載したシャーシ本体６Ａと、合成樹脂製トラバースホルダ６Ｂとからなるトラバースシャーシ６が前記ローダーシャーシ２内に配置され、前記トラバースホルダ６Ｂが、ホルダ本体７と、該ホルダ本体７の両端から平行して延びる一対のアーム８と、その一対アーム８の先端外周面に一体突設された一対の支軸９とを有し、その一対の支軸９がローダーシャーシ２の両内側面２ａに形成した枢支孔１０に回転可能に挿入されている。
【０００３】
前記シャーシ本体６Ａの後部がゴムからなる後側弾性体１２を介してローダーシャーシ２の後部に上下動ａ，ｂ可能に連結されると共に、該シャーシ本体６Ａの前部がゴムからなる前側弾性体１３を介してホルダ本体７に移動可能に連結されている。
【０００４】
前記光ピックアップ５がシャーシ本体６Ａ上のガイドロッド１５にスライド可能に支持されたスライドベース５ａを有し、ガイドロッド１５と平行するリードスクリュ１６と該リードスクリュ１６を回転させるための送りモータ１７とがシャーシ本体６Ａに配置され、スライドベース５ａに設けたティース１８がリードスクリュ１６に噛合されている。
【０００５】
図８及び図１０に示すように、ローダーシャーシ２の前部にカムスライダ２０が矢印ｃ，ｄ方向にスライド可能に配置され、該カムスライダ２０とホルダ本体７とを連動連結するカム機構２１が設けられ、該カム機構２１が、カムスライダ２０の垂直部に形成したカム溝２１ａと、前記ホルダ本体７の前面に一体突設されてカム溝２１ａに嵌入するカムピン２１ｂとからなり、カムスライダ２０の一端に一体形成したカムラック２０ａがローダーシャーシ２の前部に配置した矢印ｅ，ｆ方向に回転可能な駆動ピニオン２２に噛合可能に形成されている。なお、図１０中、２３はローダーシャーシ２に架設した横桁２４の中央部に一定範囲内昇降可能に配置したクランパ、図８中、２５はカムスライダ２０上に突設した操作ピンであって、トレイ１の下面のガイド溝に係合して該トレイ１をわずかに移動させるものである。
【０００６】
動作原理を説明すると、図１０の実線はディスククランプ状態を示すものであって、ディスクＤをターンテーブル３とクランパ２３とでクランプし、スピンドルモータ４によりターンテーブル３を介してディスクＤを高速回転させ、送りモータ１７を駆動してリードスクリュ１６を正逆回転させることにより、ティース１８を介して光ピックアップ５をディスクＤの最内周と最外周との間で該ディスクＤの半径方向に沿ってスライドさせ、該光ピックアップ５の対物レンズＯＬからディスクＤにレーザ光を投射し、その反射光に基づいてディスクＤに記録されている情報を読み取る。
【０００７】
トレイオープン時には、図８及び図１０に二点鎖線で示すように、光ピックアップ５をディスクＤの最内周までスライドさせて停止させ、駆動ピニオン２２を矢印ｆ方向に回転させることにより、カムラック２０ａを介してカムスライダ２０を矢印ｃ方向にスライドさせ、カム機構２１を介してトラバースシャーシ６Ｂを支軸９回りで下動させることにより、シャーシ本体６Ａも下動ｂさせて傾斜姿勢とし、ディスクＤをターンテーブル３からトレイ１に移し替える。
【０００８】
続いて、駆動ピニオン２２とカムラック２０ａとの噛合状態が解除され、カムスライダ２０の操作ピン２５によりトレイ１がわずかに移動されて該トレイ１の裏面に形成したラック２６（図９参照）が駆動ピニオン２２に噛合され、該駆動ピニオン２２の矢印ｆ方向への回転に伴ってトレイ１がローダーシャーシ２から押し出され、これにより、オープン状態になったトレイ１上からディスクＤを取り外したり新たなディスクＤを載置する。トレイイン時には上記とは逆の手順で操作が行われる。
【０００９】
プレイモードで、スピンドルモータ４によりターンテーブル３を介してディスクＤを高速回転させたときに発生する振動がトラバースシャーシ６を介して光ピックアップ５に伝達され、該光ピックアップ５で読取誤差が生じるおそれがある。
【００１０】
従来、上記難点を解消するために、図８及び図９に示すように、ローダーシャーシ２の一方の内側面２ａから延びる略Ｕ字状弾性片２７の先端を一方のアーム８の側面中央に弾性的に押しつけている。なお、関連する技術として特許文献１に記載したものがある。
【先行技術文献】
【特許文献】
【００１１】
【特許文献１】特開２００６−１２７６５９号公報
【発明の概要】
【発明が解決しようとする課題】
【００１２】
上記従来の構成では、弾性片２７の先端を一方のアーム８の側面中央に弾性的に押しつけることにより、ディスク高速回転時のトラバースシャーシ６の振動を抑制するようになっているが、これだけでは振動を充分に抑制することができず、一対の支軸９と枢支孔１０の両内側面との間に生じた隙間によりトラバースシャーシ６がその縦断方向Ｙに沿って振動したり、一対のアーム８の先端外周面とローダーシャーシ２の両内側面２ａとの間に生じた隙間によりトラバースシャーシ６がその横断方向Ｘに沿って振動することがあり、また、弾性片２７をホルダ本体７から離れた一方のアーム８に押しつけているだけであるから、その最も振動しやすいホルダ本体７の横断方向Ｘの振動を充分に抑制することができない。
【００１３】
本発明は、上記従来の欠点に鑑み、ディスク高速回転時の振動を長期にわたって確実に抑制することができるようにしたディスク装置を提供することを目的としている。
【課題を解決するための手段】
【００１４】
上記目的を達成するため、本発明のディスク装置は、ディスクに記録されている情報を光ピックアップにより読み取るディスク装置であって、ディスクを載置するターンテーブルと、ターンテーブルを回転させるスピンドルモータおよびディスクの半径方向に沿って移動可能な光ピックアップを搭載したトラバースシャーシ本体と、当該トラバースシャーシ本体を保持するトラバースホルダとで構成されるトラバースシャーシとを備え、トラバースホルダは、ホルダ本体と、当該ホルダ本体の両端から延びる一対のアームと、その一対のアームの先端外周面に突設されてローダーシャーシの両内側面に形成した枢支孔に回転可能に挿入された一対の支軸とを含み、一対の支軸の外径は枢支孔の両内側面間の間隔と同一または大きく設定され、当該一対の支軸はスリットの形成により縮径可能にされていることを特徴とする。
【００１５】
また、好ましいスリットは、一対の支軸における枢支孔の両内側面および底面に接しない位置に形成されている。
【００１６】
さらに、一対の支軸の根元部外周面に突起片が一体突設され、その両突起片の端面間の間隔がローダーシャーシの両内側面間の間隔と同一または大きく設定され、その一対の支軸の先端部を枢支孔に挿入することにより両突起片の端面がローダーシャーシの両内側面に当接されるようにすることが好ましい。
【００１７】
さらに、ホルダ本体の一方側面に一体突設されて先端部がローダーシャーシの一方の内側面に弾性的に押しつけられる弾性変位可能な抑え片を有することが好ましい。
【発明の効果】
【００１８】
本発明によれば、トラバースシャーシを構成する一対のスリット付き支軸を枢支孔に軽圧入させることにより、その一対の支軸が縮径されて枢支孔の両内周面に当接されるから、ディスク高速回転時に、トラバースシャーシがその縦断方向に沿って振動されるのを抑制し、静音化を図ることができる。
【００１９】
また、本発明によれば、一対の支軸に形成したスリットが枢支孔の両内側面及び底面に接しない位置に設けられているから、その一対の支軸を枢支孔内で円滑に回転させることができる。
【００２０】
さらに、本発明によれば、一対の支軸の根元部外周面に一体突設した突起片の端面がローダーシャーシの両内側面に弾性的に当接されているので、ディスク高速回転時に、トラバースシャーシがその横断方向に沿って振動されるのを抑制し、静音化を図ることができる。
【００２１】
さらに、本発明によれば、トラバースシャーシを構成するホルダ本体の一方側面に一体突設した弾性変移可能な抑え片の先端部をローダーシャーシの一方の内側面に弾性的に押しつけており、その抑え片がトラバースシャーシの最も振動しやすいホルダ本体に設けられているから、ディスク高速回転時に、トラバースシャーシがその横断方向に沿って振動されるのを一層抑制し、静音化を図ることができる。
【図面の簡単な説明】
【００２２】
【図１】本発明の実施の一形態であるディスク装置の平面図である。
【図２】図１のＡ−Ａ矢視図である。
【図３】（ａ）はトラバースホルダの平面図、（ｂ）は同側面図である。
【図４】同要部の拡大横断面図である。
【図５】同要部の拡大斜視図である。
【図６】（ａ）は同要部の拡大側面図、（ｂ）は同要部の組立状態を示す拡大縦断面図である。
【図７】同他の要部の拡大斜視図である。
【図８】従来例の平面図である。
【図９】図８のＢ−Ｂ矢視図である。
【図１０】同縦断面図である。
【発明を実施するための形態】
【００２３】
図１〜図７は本発明の実施の一形態であるディスク装置を示すものであって、トラバースシャーシ６を構成する一対の支軸９を挿入するためにローダーシャーシ２の両内側面２ａに形成した枢支孔１０が側面視四角形とされ、支軸９の外径ｋが枢支孔１０の両内側面１０ａ，１０ｂ間の間隔ｎと同一またはわずかに大きく設定され（ｋ≧ｎ）、その一対の支軸９がスリット２９の形成により縮径可能にとされ、枢支孔１０の高さｈが支軸９の外径ｋよりも大きく設定され（ｈ＞ｋ）、枢支孔１０の両内側面１０ａ，１０ｂ及び底面１０ｃに支軸９の外周面が接するようになっている。
【００２４】
図６に示すように、一対の支軸９の可動範囲αが小さいから（例えば１０°前後）、スリット２９を支軸９の軸心Ｏからずらして該支軸９の端面から根元部に向けて形成することによって、そのスリット２９が枢支孔１０の両内側面１０ａ，１０ｂ及び底面１０ｃに接しない位置に設けられている。
【００２５】
図３及び図４に示すように、一対のアーム８がわずかの傾斜角度β（例えば２°前後）だけ外広がり状に傾斜され、一対の支軸９の根元部外周面に突起片３０がスリット２９に沿って一体突設され、その両突起片３０の端面３０ａ間の間隔ｍがローダーシャーシ２の両内側面２ａ間の間隔ｔと同一またはわずかに大きく設定され（ｍ≧ｔ）、その一対の支軸９の先端部を枢支孔１０に挿入することにより、一対のアーム８を弾性変位させ両突起片３０の端面３０ａがローダーシャーシ２の両内側面２ａに弾性的に当接されている。
【００２６】
図７に示すように、トラバースシャーシ６を構成するホルダ本体７の一方側面に一体突設されて先端部がローダーシャーシ２の一方の内側面２ａの凸条部３１に弾性的に押しつけられる弾性変位可能な平面視略Ｌ状の抑え片３２を有している。上記以外の構成は図８〜図１０に示す従来例とほぼ同じであるか、同一部分に同一符号を付してその説明を省略する。
【００２７】
動作原理は従来とほぼ同じであるから、その説明を省略する。
【００２８】
上記構成によれば、トラバースシャーシ６を構成する一対のスリット２９付き支軸９を枢支孔１０に軽圧入させることにより、その一対の支軸９が縮径されて枢支孔１０の両内側面１０ａ，１０ｂ及び底面１０ｃに当接されるから、ディスク高速回転時に、トラバースシャーシ６がその縦断方向Ｙに沿って振動されるのを抑制し、静音化を図ることができる。
【００２９】
前記一対の支軸９に形成したスリット２９が枢支孔１０の両内側面１０ａ，１０ｂ及び底面１０ｃに接しない位置に設けられているから、その一対の支軸９を枢支孔１０内で円滑に回転させることができる。
【００３０】
更に、一対の支軸９の根元部外周面に一体突設した突起片３０の端面３０ａがローダーシャーシ２の両内側面２ａに弾性的に当接され、また、トラバースシャーシ６を構成するホルダ本体７の一方側面に一体突設した弾性変移可能な抑え片３２の先端部をローダーシャーシ２の一方の内側面２ａの凸条部３１に弾性的に押しつけており、その抑え片３２がトラバースシャーシ６の最も振動しやすいホルダ本体７に設けられているから、ディスク高速回転時に、トラバースシャーシ６がその横断方向Ｘに沿って振動されるのを抑制し、静音化を図ることができる。
【００３１】
しかも、トラバースシャーシ６の自重により一対の支軸９が枢支孔１０の底面１０ｃに当接されているので、ディスク高速回転時に、トラバースシャーシ６がその上下方向Ｚに沿って振動されるのも抑制し、静音化を図ることができる。
【符号の説明】
【００３２】
２              ローダーシャーシ
２ａ            ローダーシャーシの内側面
３              ターンテーブル
４              スピンドルモータ
５              光ピックアップ
６              トラバースシャーシ
６Ａ            トラバースシャーシのシャーシ本体
６Ｂ            トラバースシャーシのトラバースホルダ
７              トラバースホルダのホルダ本体
８              トラバースホルダのアーム
９              トラバースホルダの支軸
１０            枢支孔
１０ａ，１０ｂ  枢支孔の内側面
１０ｃ          枢支孔の底面
２０            カムスライダ
２１            カム機構
２９            スリット
３０            突起片
３０ａ          突起片の端面
３２            抑え片
Ｄ              ディスク
ｋ              支軸の外径
ｎ              枢支孔の両内側面間の間隔
ｍ              両突起片の端面間の間隔
ｔ              ローダーシャーシの両内側面間の間隔
【図１】
2014022007.tif 000003
【図２】
2014022007.tif 000004
【図３】
2014022007.tif 000005
【図４】
2014022007.tif 000006
【図５】
2014022007.tif 000007
【図６】
2014022007.tif 000008
【図７】
2014022007.tif 000009
【図８】
2014022007.tif 000010
【図９】
2014022007.tif 000011
【図１０】
2014022007.tif 000012